(57)【要約】【課題】互いに同軸に配される１次巻線と２次巻線との間の沿面距離を確保しつつ、トランス全体の軸線方向の長さを短縮化することができ、かつ放熱性に優れたトランスを得る。【解決手段】第２のボビン２０の第２貫通孔２２は、軸線Ｃ２方向一端部に、第１のボビン１０の延設部１３が挿入される挿入口２７を備え、また、この挿入口２７から長さｄ１の範囲の部分が大孔部２８Ｌとして形成されている。この大孔部２８Ｌは、挿入口２７から挿入された延設部１３の外周面との間に、全周に亘って長さｄ２の空気間隔を確保し得る大きさを有しており、大孔部２８Ｌの長さｄ１の往復の距離分＋長さｄ２の空気間隔の距離分だけ余計に沿面距離を確保し得るようになっている。【選択図】図３
2009206247.tif 000002
【特許請求の範囲】
【請求項１】
第１の巻線と、該第１の巻線と電磁結合される第２の巻線と、前記第１の巻線が巻回される第１巻回部および該第１巻回部の内部を貫通する第１貫通孔を有する第１のボビンと、前記第２の巻線が巻回される第２巻回部および該第２巻回部の内部を貫通する第２貫通孔を有する第２のボビンと、前記第１貫通孔および前記第２貫通孔内に挿通されるコアと、を備え、前記第１のボビンと前記第２のボビンとが同軸に配置されるように構成されたトランスであって、
前記第１のボビンは、前記第１巻回部の軸線方向一端部から前記第２のボビンに向けて延びる、内部に前記コアが挿通される中空の延設部を備え、
前記第２のボビンの前記第２貫通孔は、該第２貫通孔の軸線方向一端部に、前記延設部が挿入される挿入口を備えるとともに、該挿入口から当該第２貫通孔の軸線方向他端部に向けて延びる所定範囲の部分が大孔部として形成されてなり、該大孔部は、前記挿入口から挿入された前記延設部の外周面との間に、全周に亘って所定の空気間隔を確保し得る大きさを有してなる、ことを特徴とするトランス。
【請求項２】
前記第２のボビンは、前記第２巻回部を複数の巻回領域に分割するための仕切鍔を備えてなる、ことを特徴とする請求項１記載のトランス。
【請求項３】
前記第２のボビンの前記第２貫通孔は、前記軸線方向他端部側の部分が、前記大孔部よりも小なる大きさで、かつ前記コアを挿通し得る大きさの小孔部として形成されるとともに、該小孔部と前記大孔部との間の部分が、該大孔部および該小孔部の中間の大きさで、かつ前記延設部と嵌合し得る大きさの中孔部として形成されてなる、ことを特徴とする請求項１または２記載のトランス。
【発明の詳細な説明】
【技術分野】
【０００１】
本発明は、各種電子・電気機器等に用いられる小型のトランスに関し、特に、ノートパソコンや液晶テレビ等に搭載される各種表示パネルのバックライト用の冷陰極放電ランプ（ＣＣＦＬ）を放電、点灯させるＤＣ／ＡＣインバータ回路で使用されるインバータトランスとして好適なトランスに関する。
【背景技術】
【０００２】
一般にトランスにおいては、１次巻線および２次巻線の相互間の絶縁性を確保するため、１次巻線と２次巻線との間に所定距離以上の沿面距離を確保することが要請されている。
【０００３】
このような沿面距離の確保は、大型のトランスにおいては大きな問題とはならないが、年々小型化が進む電子機器、ノートパソコン等おいて使用されるトランスの場合には、トランス自体の小型化に対する要求も厳しく、沿面距離の確保と小型化を両立することは大きな課題となっている。
【０００４】
従来、このような課題を解決すべく提案されたトランスとして、下記特許文献１に記載されたものが知られている。この特許文献１に記載のトランスは、１次巻線が巻回される第１の巻線部を有する第１のボビンと、２次巻線が巻回される第２の巻線部を有する第２のボビンとが同軸に配置されるもので、第１の巻線部の軸線方向他端側に筒状の収納部を設けるとともに、この収納部内に、２次巻線が巻回された第２の巻線部を挿入するように構成されている。
【０００５】
【特許文献１】特開２００７−１７３３５９号公報
【発明の開示】
【発明が解決しようとする課題】
【０００６】
上記特許文献１に記載されたトランスは、第１のボビンに設けた収納部内に、２次巻線が巻回された第２の巻線部が挿入されるので、単に１次巻線と２次巻線を同軸に配置したものに比較して、収納部側面の長さ分だけ余計に沿面距離を確保することができ、また、これにより１次巻線と２次巻線とを軸線方向に沿って互いに近づけて配置することができるので、軸線方向の長さの短縮化を図ることが可能となるが、２次巻線が収納部により覆われる構成のために、次のような問題がある。
【０００７】
すなわち、近年では、一般家庭に供給される電圧（日本国ではＡＣ１００Ｖ）を１次巻線側に直接入力することが多くなっており、このような供給電圧を降圧するためにトランスを用いた場合には、２次巻線において大電流が発生するため、２次巻線が収納部により覆われるという上述の構成においては、２次巻線で発生した熱を外部に放出することが難しくなる。
【０００８】
一方、放熱性を考慮した場合には、２次巻線に限らず１次巻線についても、周囲が覆われない構成を採用することが好ましいが、単に１次巻線と２次巻線を同軸に配置した場合には、所定の沿面距離を確保するために、１次巻線と２次巻線とを軸線方向に沿って互いに遠ざけて配置しなければならず、トランス全体の軸線方向の長さが長大化するという問題が生じてしまう。また、一般的に１次巻線と２次巻線との間の距離が長くなると、両者の結合が悪くなってしまい、トランスでの変換効率が低下してしまう。
【０００９】
本発明はこのような事情に鑑みなされたものであり、互いに同軸に配される１次巻線と２次巻線との間の沿面距離を確保しつつ、トランス全体の軸線方向の長さを短縮化することができ、かつ放熱性に優れたトランスを提供することを目的とする。
【課題を解決するための手段】
【００１０】
上記目的を達成するため本発明に係るトランスは、以下のように構成されている。
すなわち、本発明に係るトランスは、第１の巻線と、該第１の巻線と電磁結合される第２の巻線と、前記第１の巻線が巻回される第１巻回部および該第１巻回部の内部を貫通する第１貫通孔を有する第１のボビンと、前記第２の巻線が巻回される第２巻回部および該第２巻回部の内部を貫通する第２貫通孔を有する第２のボビンと、前記第１貫通孔および前記第２貫通孔内に挿通されるコアと、を備え、前記第１のボビンと前記第２のボビンとが同軸に配置されるように構成されたトランスであって、
前記第１のボビンは、前記第１巻回部の軸線方向一端部から前記第２のボビンに向けて延びる、内部に前記コアが挿通される中空の延設部を備え、
前記第２のボビンの前記第２貫通孔は、該第２貫通孔の軸線方向一端部に、前記延設部が挿入される挿入口を備えるとともに、該挿入口から当該第２貫通孔の軸線方向他端部に向けて延びる所定範囲の部分が大孔部として形成されてなり、該大孔部は、前記挿入口から挿入された前記延設部の外周面との間に、全周に亘って所定の空気間隔を確保し得る大きさを有してなる、ことを特徴とする。
【００１１】
本発明のトランスにおいて、前記第２のボビンは、前記第２巻回部を複数の巻回領域に分割するための仕切鍔を備えてなるものとすることができる。
【００１２】
また、前記第２のボビンの前記第２貫通孔は、前記軸線方向他端部側の部分が、前記大孔部よりも小なる大きさで、かつ前記コアを挿通し得る大きさの小孔部として形成されるとともに、該小孔部と前記大孔部との間の部分が、該大孔部および該小孔部の中間の大きさで、かつ前記延設部と嵌合し得る大きさの中孔部として形成されてなるものとすることができる。
【００１３】
本発明においては、上記第１の巻線を１次巻線とし、上記第２の巻線を２次巻線とすることが可能であるが、これとは逆に、上記第１の巻線を２次巻線とし、上記第２の巻線を１次巻線とすることも可能である。
【発明の効果】
【００１４】
本発明に係るトランスは、上述の構成を採用したことにより、以下のような作用効果を奏する。
【００１５】
すなわち、第１のボビンにおいて第１巻回部の軸線方向一端部から延びる中空の延設部は、第２のボビンにおいて第２貫通孔の軸線方向一端部に設けられた挿入口から大孔部内に挿入され、かつ挿入された延設部の外周面と大孔部との間には、全周に亘って所定の空気間隔が確保されるように構成されていることにより、第１巻回部に巻回される第１の巻線と、第２巻回部に巻回される第２の巻線との間には、単に第１および第２のボビンを同軸に配置したものに比べて、少なくとも大孔部の軸線方向の長さの往復の距離分だけ余計に沿面距離を確保することができる。
【００１６】
したがって、第１および第２の巻線間に所定の沿面距離を確保しつつ、第１の巻線と第２の巻線とを軸線方向に沿って互いに近づけて配置することができるので、トランス全体の軸線方向の長さを短縮化することが可能となる。
【００１７】
また、大孔部内に挿入されるのは、第１巻回部の軸線方向一端部から延びる延設部であって、第１巻回部は大孔部内に挿入されない構成であるので、第１巻回部を大孔部内に挿入する構成を採用したものに比べて、第１巻回部に巻回される第１の巻線の放熱性に優れており、かつ第２巻回部に巻回される第２の巻線についても周囲を覆うものが無いので、同様に放熱性に優れている。
【発明を実施するための最良の形態】
【００１８】
以下、本発明に係るトランスの実施形態について、添付した各図面を参照しつつ詳細に説明する。図１〜図４は本発明に係るトランスの第１実施形態を示しており、図５および図６は本発明に係るトランスの第２実施形態を示している。なお、図１〜図４には、これらの図面間の方向の対応付けを容易とするために、Ｘ，Ｙ，Ｚの直交３軸からなる３次元座標系を添付しており、同様に図５および図６には、両図面間の方向の対応付けを容易とするために、Ｘ´，Ｙ´，Ｚ´の直交３軸を有する３次元座標系を添付している。
【００１９】
〈第１実施形態〉
まず、図１〜図４を用いて、本発明の第１実施形態に係るトランスについて説明する。図１は本発明の第１施形態に係るトランスの全体構成を示す正面図であり、図２はその分解斜視図である。また、図３は図１におけるＡ−Ａ線断面図であり、図４はその分解図である。
【００２０】
本実施形態のトランス１は、例えば、ノートパソコン、液晶テレビ等に使用される各種表示パネルのバックライト用の冷陰極放電ランプ（ＣＣＦＬ）を放電、点灯させるＤＣ／ＡＣインバータ回路において、インバータトランスとして使用されるものであったり、絶縁や変圧を目的として用いられるトランスとして使用されるものであり、図１に示すように、第１の巻線２（図１に一部のみ図示）、該第１の巻線２と電磁結合される第２の巻線３（図１に一部のみ図示）、プラスチック等の絶縁性を有する材料で形成されたボビンユニット４、フェライト等の磁性材料で形成されたコア５Ａ，５Ｂ、および端子６Ａ〜６Ｇを備えてなる。本実施形態では、上記第１の巻線２は１次巻線とされ、上記第２の巻線３は２次巻線とされている。また、上記ボビンユニット４は、互いに同軸に配置されて組み合わされる第１のボビン１０および第２のボビン２０から構成されている。
【００２１】
上記第１のボビン１０は、第１の巻線２が巻回される第１巻回部１１と、該第１巻回部１１の内部を貫通する第１貫通孔１２（図２，図４参照）と、第１巻回部１１の軸線Ｃ１方向一端部から上記第２のボビン２０に向けて延びる中空の延設部１３（中空部分は第１貫通孔１２により形成されている）と、第１巻回部１１の軸線Ｃ１方向他端部に形成された端子台１４とを備え、該端子台１４には１次側用の端子６Ａ〜６Ｃが保持されている。また、第１巻回部１１の軸線Ｃ１方向両端部には、エンド鍔１５Ａ，１５Ｂがそれぞれ形成されており、これらエンド鍔１５Ａ，１５Ｂの間に、１次巻線２（図１参照）が巻回されるようになっている。
【００２２】
一方、上記第２のボビン２０は、第２の巻線３が巻回される第２巻回部２１と、該第２巻回部２１の内部を貫通する第２貫通孔２２（図２，図４参照）と、第２巻回部２１の軸線Ｃ２方向両端部に各々形成された端子台２３Ａ，２３Ｂとを備え、これらの端子台２３Ａおよび２３Ｂには、２次側用の端子６Ｄ，６Ｅおよび６Ｆ，６Ｇがそれぞれ保持されている。また、第２巻回部２１には、その軸線Ｃ２方向両端部に、エンド鍔２４Ａ，２４Ｂがそれぞれ形成されているとともに、これらのエンド鍔２４Ａ，２４Ｂの間に、当該第２巻回部２１を複数（本実施形態では３つ）の巻回領域Ｓ１〜Ｓ３に分割するための仕切鍔２５Ａ，２５Ｂが形成されており、各巻回領域Ｓ１〜Ｓ３に２次巻線３（図１参照）が巻回されるようになっている。なお、仕切鍔２５Ａおよび２５Ｂには、２次巻線３を隣接する巻回領域に渡すための切欠部２６Ａ，２６Ｂおよび２６Ｃ，２６Ｄがそれぞれ形成されており、エンド鍔２４Ｂには、巻回領域Ｓ３に巻回された第２の巻線３の高さが巻回領域Ｓ２の底面の高さを超えているか否かを目視により確認するための切欠部２６Ｅが形成されている。
【００２３】
図２に示すように上記コア５Ａは、２つの脚部５１Ａ，５２Ａを備えたＵ字型に形成されており、２つの脚部５１Ａ，５２Ａのうちの一方の脚部５１Ａが、上記第１のボビン１０の第１貫通孔１２内に、上記軸線Ｃ１方向他端部側（上記端子台１４が形成されている側）から挿通されるようになっている。一方、上記コア５Ｂは、コア５Ａと同形状に形成されており、２つの脚部５１Ｂ，５２Ｂのうちの一方の脚部５１Ｂが、上記第２のボビン２０の第２貫通孔２２内に、上記軸線Ｃ２方向他端部側（上記端子台２３Ｂが形成されている側）から挿通されるようになっている。なお、コア５Ａの脚部５２Ａとコア５Ｂの脚部５２Ｂとは、ボビンユニット４の外部において、互いの先端部同士が突き合せられるようになっている。
【００２４】
以下、本実施形態の特徴的構成とその作用効果について説明する。
【００２５】
上記第２のボビン２０の第２貫通孔２２は、該第２貫通孔２２の軸線（第２巻回部２１の軸線Ｃ２）方向一端部（第１のボビン１０側の端部）に、上記第１のボビン１０の延設部１３が挿入される挿入口２７を備えるとともに、該挿入口２７から上記軸線Ｃ２方向他端部に向けて順に、大孔部２８Ｌ、中孔部２８Ｍおよび小孔部２８Ｓ（軸線Ｃ２と垂直な断面の形状はいずれも矩形状）を備えている（図４参照）。
【００２６】
上記大孔部２８Ｌは、挿入口２７から上記軸線Ｃ２方向他端部に向けて延びる所定範囲（本実施形態では、図３に示す長さｄ１の範囲）の部分に形成されており、挿入口２７から挿入された第１のボビン１０の延設部１３の外周面との間に、全周に亘って所定の空気間隔（本実施形態では、図３に示す長さｄ２の空気間隔）を確保し得る大きさを有してなる。
【００２７】
一方、上記小孔部２８Ｓは、上記軸線Ｃ２方向他端部側の部分に形成されており、上記大孔部２８Ｌよりも小なる大きさで、かつ上記コア５Ｂの脚部５１Ｂを挿通し得る大きさを有してなる。また、上記中孔部２８Ｍは、上記大孔部２８Ｌと上記小孔部２８Ｓとの間の部分に形成されており、大孔部２８Ｌおよび小孔部２８Ｓの中間の大きさで、かつ上記延設部１３と嵌合し得る大きさを有してなる。
【００２８】
上記第２貫通孔２２が上述のように構成されていることにより、上記第１のボビン１０は、上記延設部１３の先端部が上記中孔部２８Ｍと嵌合することによって、上記第２のボビン２０に保持される（図３参照）。この保持状態において、延設部１３の外周面と大孔部２８Ｌとの間には、上述のように全周に亘って長さｄ２の空気間隔が確保される。このため上記第１巻回部１１に巻回される第１の巻線２と、上記第２巻回部２１に巻回される第２の巻線３との間には、上記第２貫通孔２２の挿通口２７の位置において延設部１３と第２のボビン２０とが互いに接触するように構成されたものに比べて、少なくとも大孔部２８Ｌの上記軸線Ｃ２方向の長さｄ１の往復の距離分＋長さｄ２の空気間隔の距離分だけ余計に沿面距離を確保することができる。したがって、第１および第２の巻線２，３間に所定の沿面距離を確保しつつ、第１の巻線２と第２の巻線３とを軸線Ｃ１，Ｃ２方向に沿って互いに近づけて配置することができるので、トランス１全体の、上記軸線Ｃ１，Ｃ２方向の長さを短縮化することが可能となり、トランス１全体を小型化することができるとともに、第１の巻線２と第２の巻線３との結合を良好なものとすることができる。
【００２９】
また、上記大孔部２８Ｌ内に挿入されるのは、第１の巻線２が巻回されない延設部１３であって、第１巻回部１１は大孔部２８Ｌ内に挿入されない構成とされている。このため、第１巻回部１１を大孔部２８Ｌ内に挿入する構成としたものに比べて、第１巻回部１１に巻回される第１の巻線２の放熱性に優れており、かつ第２巻回部２１に巻回される第２の巻線３についても周囲を覆うものが無いので、同様に放熱性に優れている。
【００３０】
また、図３に示すように上記第２のボビン２０は、上述のエンド鍔２４Ａ，２４Ｂおよび仕切鍔２５Ａ，２５Ｂによって形成された３つの巻回領域Ｓ１〜Ｓ３の、上記軸線Ｃ２に沿った各断面（図中×印で示す）の面積が、互いに等しくなるように形成されている。すなわち、各巻回領域Ｓ１〜Ｓ３の幅（軸線Ｃ２方向の長さ）については、巻回領域Ｓ１，Ｓ２，Ｓ３の順に次第に小となるのに対し、各巻回領域Ｓ１〜Ｓ３の奥行き（軸線Ｃ２と垂直な方向の長さ）については逆に、巻回領域Ｓ１，Ｓ２，Ｓ３の順に次第に大となるように構成されている。
【００３１】
これにより、各巻回領域Ｓ１〜Ｓ３における２次巻線３の巻回量を互いに等しくすることができるので、各巻回領域Ｓ１〜Ｓ３間の絶縁性の確保が容易となるとともに、第２巻回部２１の長さ（軸線Ｃ２方向の長さ）と高さ（図３において軸線Ｃ２と垂直な方向の長さ）とのバランス（例えば、本実施形態のものより、巻回領域Ｓ１の幅を小、奥行きを大とすれば、第２巻回部２１の長さは小となるが、高さは大となる）を考慮しつつ、第２巻回部２１をコンパクトに構成することができるので、結果としてトランス１全体の小型化（低背化を含む）を図ることが可能となる。
【００３２】
〈第２実施形態〉
次に、図５，図６を用いて、本発明の第２実施形態に係るトランスについて説明する。図５は本発明の第２施形態に係るトランスの全体構成を示す正面図であり、図６はそのトランスに用いられるコアおよび保持バンドの斜視図である。なお、第１および第２の巻線の図示は省略している。
【００３３】
本実施形態のトランス７は、上述のトランス１と同様にインバータトランス等として使用されるものであり、その基本的な構成は図５に示すように、図１〜図４に示すトランス１のボビンユニット４を並列させて配置した２イン１タイプのものである。そこで、重複を避けるため、ボビンユニット４に関しては図１〜図４で用いたものと同じ番号を付してその詳細な説明は省略し、以下では、コア８Ａ，８Ｂと保持バンド９についてのみ説明する。
【００３４】
図６に示すように上記コア８Ａは、２つの外脚部８１Ａ，８２Ａと１つの中脚部８３Ａとを備えたＥ字型のものであり、２つの外脚部８１Ａ，８２Ａのうちの一方の外脚部８１Ａが、図５に示す２つのボビンユニット４のうち、図中右側に配されたボビンユニット４の第１のボビン１０内に配置され、他方の外脚部８２Ａが、図中左側に配されたボビンユニット４の第１のボビン１０内に配置されるようになっている。一方、上記コア８Ｂは、コア８Ａと同形状に形成されており、２つの外脚部８１Ｂ，８２Ｂのうちの一方の外脚部８１Ｂが、図５に示す２つのボビンユニット４のうち、図中右側に配されたボビンユニット４の第２のボビン２０内に配置され、他方の外脚部８２Ｂが、図中左側に配されたボビンユニット４の第２のボビン２０内に配置されるようになっている。なお、コア８Ａの中脚部８３Ａとコア８Ｂの中脚部８３Ｂとは、２つのボビンユニット４の間において、互いの先端部同士が突き合せられるようになっている。
【００３５】
一方、上記保持バンド９は、図６に示すように、基部９１と、該基部９１の図中下側の面に形成された４つの爪部９２Ａ〜９２Ｄとからなり、図５に示す２つのボビンユニット４のうち、図中左側に配されたボビンユニット４の第１のボビン１０を、２つの爪部９２Ａ，９２Ｂによって挟むように保持するとともに、図中右側に配されたボビンユニット４の第１のボビン１０を、２つの爪部９２Ｃ，９２Ｄによって挟むように保持するようになっている。この保持バンド９を取り付けることによって、２つのボビンユニット４の間の距離を一定に保つことが可能となり、図示せぬ基板にトランス７を装着する等の際の作業性を向上させることが可能となる。
【００３６】
以上、本発明に係るトランスの実施形態を説明したが、本発明は上述の態様に限定されるものではなく、種々に態様を変更することが可能である。
【００３７】
例えば、上述の実施形態では、上記第１の巻線２を１次巻線とし、上記第２の巻線３を２次巻線としているが、これとは逆に、第１の巻線２を２次巻線とし、第２の巻線３を１次巻線とすることも可能である。
【００３８】
また、上述の実施形態では、大孔部２８Ｌ、中孔部２８Ｍおよび小孔部２８Ｓの、軸線Ｃ２と垂直な各断面形状が共に矩形状とされているが、断面形状は矩形状に限られるものではなく、種々の形状とすることが可能である。
【００３９】
また、コアの構成に関しても、上述の実施形態の態様に限定されるものではなく、種々の形状のコアを組み合わせて使用することができる。
【００４０】
また、上述の実施形態では、インバータトランス等として使用される態様のものを説明しているが、本発明は、インバータトランス等に適用が限定されるものではなく、他の目的で使用される各種のトランス、例えば、降圧トランス等に対しても適用することが可能である。
【００４１】
また、上述の実施形態おける第２のボビン２０は、互いに大きさの異なる３つの孔部（大孔部２８Ｌ、中孔部２８Ｍおよび小孔部２８Ｓ）を有しているが、互いに大きさの異なる２つの孔部（大孔部と中孔部または大孔部と小孔部）を備えた態様とすることも可能である。図７に、第１実施形態の変形例としてのトランス１´を示す。図７はトランス１´の断面分解図（図４に対応する図）であり、第１実施形態のものと態様が変わっていない部材や部位には、図１〜図４で用いたものと同一の番号等を付している。
【００４２】
図７に示すようにトランス１´の第２のボビン２０´は、互いに大きさが異なる２つの孔部（大孔部２８Ｌ´と小孔部２８Ｓ）を備えてなる。また、第１のボビン１０は、挿入口２７´から上記大孔部２８Ｌ´内に挿入される延設部１３の先端面１３ａが、上記大孔部２８Ｌ´の終端部２９に接着等されることにより、第２のボビン２０´に保持されるようになっている。
【図面の簡単な説明】
【００４３】
【図１】第１実施形態に係るトランスの全体構成を示す正面図
【図２】第１実施形態に係るトランスの分解斜視図
【図３】第１実施形態に係るトランスの、図１のＡ−Ａ線に沿った断面図
【図４】図３に示す断面図の分解図
【図５】第２実施形態に係るトランスの全体構成を示す正面図
【図６】第２施形態に用いられるコアおよび保持バンドの斜視図
【図７】第１実施形態の変形例に係るトランスの断面分解図
【符号の説明】
【００４４】
１                トランス（第１実施形態）
１´              トランス（第１実施形態の変形例）
２                第１の巻線
３                第２の巻線
４                ボビンユニット
５Ａ，５Ｂ        （第１実施形態の）コア
６Ａ〜６Ｇ        端子
７                トランス（第２実施形態）
８Ａ，８Ｂ        （第２実施形態の）コア
９                保持バンド
１０              第１のボビン
１１              第１巻回部
１２              第１挿通孔
１３              延設部
１３ａ            先端面
１４              （第１のボビンの）端子保持台
１５Ａ，１５Ｂ    （第１のボビンの）エンド鍔
２０，２０´      第２のボビン
２１              第２巻回部
２２              第２挿通孔
２３Ａ，２３Ｂ    （第２のボビンの）端子保持台
２４Ａ，２４Ｂ    （第２のボビンの）エンド鍔
２５Ａ，２５Ｂ    仕切鍔
２６Ａ〜２６Ｅ    切欠部
２７，２７´      挿入口
２８Ｌ，２８Ｌ´  大孔部
２８Ｍ            中孔部
２８Ｓ            小孔部
２９              終端部
５１Ａ，５１Ａ    （コア５Ａの）脚部
５２Ｂ，５２Ｂ    （コア５Ｂの）脚部
８１Ａ，８２Ａ    （コア８Ａの）外脚部
８１Ｂ，８２Ｂ    （コア８Ｂの）外脚部
８３Ａ            （コア８Ａの）中脚部
８３Ｂ            （コア８Ｂの）中脚部
９１              基部
９２Ａ〜９２Ｅ    爪部
Ｓ１〜Ｓ３          巻回領域
Ｃ１，Ｃ２          軸線
【図１】
2009206247.tif 000003
【図２】
2009206247.tif 000004
【図３】
2009206247.tif 000005
【図４】
2009206247.tif 000006
【図５】
2009206247.tif 000007
【図６】
2009206247.tif 000008
【図７】
2009206247.tif 000009